(57)【特許請求の範囲】
【請求項１】
室内の床（２）と天井（３）との間に跨る複数の壁下地ユニット（４）を、互いに間隔をあけるようにして横並びに配置するとともに、それら壁下地ユニット（４）に引っ掛けるようにして、壁下地ユニット（４）（４）間に着脱可能に差し渡した複数の壁パネル（５）を、互いに隣接させるようにして横並び及び縦並びに配置してなる間仕切り壁（１）であって、前記壁下地ユニット（４）は、方形枠状のユニット本体（１０）に、その内部に複数の収容空間（１１）を区画形成するための複数の棚板（１２）を取り付けてなり、壁内部に挿通させたテーブルタップ（４０）のコンセント（４１）を、前記複数の収容空間（１１）のうち任意の収容空間（１１）に配置可能とするとともに、互いに横方向に隣接する壁パネル（５）（５）間の縦目地部（３５）を、前記壁下地ユニット（４）の幅方向中間に配置して、壁外部に設けた電気機器（５０）の電気コード（５１）を、前記縦目地部（３５）に設けた軟質目地材（３２）を変形させながら前記任意の収容空間（１１）に挿入可能として、その電気コード（５１）のプラグ（５２）を前記コンセント（４１）に接続可能としたことを特徴とする間仕切り壁。
【請求項２】
室内の床（２）と天井（３）との間に跨る複数の壁下地ユニット（４）を、互いに間隔をあけるようにして横並びに配置するとともに、それら壁下地ユニット（４）に引っ掛けるようにして、壁下地ユニット（４）（４）間に着脱可能に差し渡した複数の壁パネル（５）を、互いに隣接させるようにして横並び及び縦並びに配置してなる間仕切り壁（１）であって、前記壁下地ユニット（４）は、方形枠状のユニット本体（１０）に、その内部に複数の収容空間（１１）を区画形成するための複数の棚板（１２）を取り付けてなり、壁内部に挿通させたテーブルタップ（４０）のコンセント（４１）を、前記複数の収容空間（１１）のうち任意の収容空間（１１）に配置可能とするとともに、壁外部に設けた電気機器（５０）の電気コード（５１）を、隣接する前記壁パネル（５）（５）間の目地部（３５）から前記任意の収容空間（１１）に挿入可能として、その電気コード（５１）のプラグ（５２）を前記コンセント（４１）に接続可能に構成してなり、さらに、前記壁パネル（５）の上端に沿って凸部（３０）を設けるとともに、前記壁パネル（５）の下端に沿って凹部（３１）を設けて、互いに縦方向に隣接する壁パネル（５）（５）における凸部（３０）と凹部（３１）を縦方向の位置ずれを許容した状態で係合して、任意の壁パネル（５）を単独で着脱可能とした間仕切り壁。
【請求項３】
室内の床（２）と天井（３）との間に跨る複数の壁下地ユニット（４）を、互いに間隔をあけるようにして横並びに配置するとともに、それら壁下地ユニット（４）に引っ掛けるようにして、壁下地ユニット（４）（４）間に着脱可能に差し渡した複数の壁パネル（５）を、互いに隣接させるようにして横並び及び縦並びに配置してなる間仕切り壁（１）であって、前記壁下地ユニット（４）は、方形枠状のユニット本体（１０）に、その内部に複数の収容空間（１１）を区画形成するための複数の棚板（１２）を取り付けてなり、壁内部に挿通させたテーブルタップ（４０）のコンセント（４１）を、前記複数の収容空間（１１）のうち任意の収容空間（１１）に配置可能とするとともに、壁外部に設けた電気機器（５０）の電気コード（５１）を、隣接する前記壁パネル（５）（５）間の目地部（３５）から前記任意の収容空間（１１）に挿入可能として、その電気コード（５１）のプラグ（５２）を前記コンセント（４１）に接続可能に構成してなり、さらに、最上部に位置する壁パネル（５）の上端に軟質の見切り材（３６）を立設して、この見切り材（３６）を室内の天井（３）に当接させるとともに、最下部に位置する壁パネル（５）の下端から軟質の幅木材（３７）を垂下して、この幅木材（３７）を室内の床（２）に当接させた間仕切り壁。
【請求項４】
前記壁下地ユニット（４）におけるユニット本体（１０）の側板（１３）（１３）及び棚板（１２）に、前記テーブルタップ（４０）を挿通させる挿通用孔（１７）（２２）を設けた請求項１乃至３のいずれかに記載の間仕切り壁。
【請求項５】
前記壁下地ユニット（４）のユニット本体（１０）の上端に、縦方向に出没可能とした突っ張り部材（１６）を設けて、この突っ張り部材（１６）を室内の天井（３）に押し付けることで、前記壁下地ユニット（４）を室内の床（２）と天井（３）との間に跨って突っ張り固定した請求項１乃至４のいずれかに記載の間仕切り壁。
【発明の詳細な説明】
【技術分野】
【０００１】
この発明は、住宅等の室内を間仕切る配線機能を備えた間仕切り壁に関する。
【背景技術】
【０００２】
住宅の室内を間仕切る間仕切り壁として、室内の床と天井との間に跨る複数の柱材を、互いに間隔をあけるようにして横並びに配置するとともに、それら柱材に引っ掛けるようにして、柱材間に差し渡した複数の壁パネルを、互いに隣接させるようにして横並び及び縦並びに配置することで、設置や撤去、配置換え等を簡単に行うことができるようにした構造のものが提案されている（例えば、特許文献１参照）。
【０００３】
このような間仕切り壁を使用することで、専門業者による大掛かりな大工工事を必要とすることなく、ＤＩＹで設置や撤去、配置換え等を行って、室内のレイアウトを容易に変更することができる。
【０００４】
【特許文献１】特開２００６−７７５６３号公報
【発明の開示】
【発明が解決しようとする課題】
【０００５】
しかしながら、上記のようなＤＩＹ対応の間仕切り壁においては、その設置や撤去、配置換え等を簡単にするために、構造をできるだけシンプルにしており、このため機能性に乏しいといった不具合があった。
【０００６】
特に近年では、パソコンやＡＶ機器等の急増に伴い、これまでにも増して多くの電気機器が室内に配置される傾向にあり、それらの電気機器の電気コードを接続するコンセントを室内壁面の要所要所に配置する必要がある。従って、ＤＩＹ対応の間仕切り壁においても、コンセントを備え付けた配線機能を有するものが望まれるが、このような配線機能までは十分に配慮されていなかった。
【０００７】
この発明は、上記の不具合を解消して、設置や撤去、配置換え等を簡単に行うことができ、しかも利便性の高い配線機能を備えた間仕切り壁の提供を目的とする。
【課題を解決するための手段】
【０００８】
上記課題を解決するため、この発明の間仕切り壁１は、室内の床２と天井３との間に跨る複数の壁下地ユニット４を、互いに間隔をあけるようにして横並びに配置するとともに、それら壁下地ユニット４に引っ掛けるようにして、壁下地ユニット４、４間に着脱可能に差し渡した複数の壁パネル５を、互いに隣接させるようにして横並び及び縦並びに配置してなり、前記壁下地ユニット４は、方形枠状のユニット本体１０に、その内部に複数の収容空間１１を区画形成するための複数の棚板１２を取り付けてなり、壁内部に挿通させたテーブルタップ４０のコンセント４１を、前記複数の収容空間１１のうち任意の収容空間１１に配置可能とするとともに、互いに横方向に隣接する壁パネル５、５間の縦目地部３５を、前記壁下地ユニット４の幅方向中間に配置して、壁外部に設けた電気機器５０の電気コード５１を、前記縦目地部３５に設けた軟質目地材３２を変形させながら前記任意の収容空間１１に挿入可能として、その電気コード５１のプラグ５２を前記コンセント４１に接続可能としたことを特徴とする。
【００１０】
また、室内の床２と天井３との間に跨る複数の壁下地ユニット４を、互いに間隔をあけるようにして横並びに配置するとともに、それら壁下地ユニット４に引っ掛けるようにして、壁下地ユニット４、４間に着脱可能に差し渡した複数の壁パネル５を、互いに隣接させるようにして横並び及び縦並びに配置してなる間仕切り壁１であって、前記壁下地ユニット４は、方形枠状のユニット本体１０に、その内部に複数の収容空間１１を区画形成するための複数の棚板１２を取り付けてなり、壁内部に挿通させたテーブルタップ４０のコンセント４１を、前記複数の収容空間１１のうち任意の収容空間１１に配置可能とするとともに、壁外部に設けた電気機器５０の電気コード５１を、隣接する前記壁パネル５、５間の目地部３５から前記任意の収容空間１１に挿入可能として、その電気コード５１のプラグ５２を前記コンセント４１に接続可能に構成してなり、さらに、前記壁パネル５の上端に沿って凸部３０を設けるとともに、前記壁パネル５の下端に沿って凹部３１を設けて、互いに縦方向に隣接する壁パネル５、５における凸部３０と凹部３１を縦方向の位置ずれを許容した状態で係合して、任意の壁パネル５を単独で着脱可能としている。
【００１１】
さらに、室内の床２と天井３との間に跨る複数の壁下地ユニット４を、互いに間隔をあけるようにして横並びに配置するとともに、それら壁下地ユニット４に引っ掛けるようにして、壁下地ユニット４、４間に着脱可能に差し渡した複数の壁パネル５を、互いに隣接させるようにして横並び及び縦並びに配置してなる間仕切り壁１であって、前記壁下地ユニット４は、方形枠状のユニット本体１０に、その内部に複数の収容空間１１を区画形成するための複数の棚板１２を取り付けてなり、壁内部に挿通させたテーブルタップ４０のコンセント４１を、前記複数の収容空間１１のうち任意の収容空間１１に配置可能とするとともに、壁外部に設けた電気機器５０の電気コード５１を、隣接する前記壁パネル５、５間の目地部３５から前記任意の収容空間１１に挿入可能として、その電気コード５１のプラグ５２を前記コンセント４１に接続可能に構成してなり、さらに、最上部に位置する壁パネル５の上端に軟質の見切り材３６を立設して、この見切り材３６を室内の天井３に当接させるとともに、最下部に位置する壁パネル５の下端から軟質の幅木材３７を垂下して、この幅木材３７を室内の床２に当接させるようにしている。
【００１２】
さらにまた、前記壁下地ユニット４におけるユニット本体１０の側板１３、１３及び棚板１２に、前記テーブルタップ４０を挿通させる挿通用孔１７、２２を設けている。
【００１３】
また、前記壁下地ユニット４のユニット本体１０の上端に、縦方向に出没可能とした突っ張り部材１６を設けて、この突っ張り部材１６を室内の天井３に押し付けることで、前記壁下地ユニット４を室内の床２と天井３との間に跨って突っ張り固定している。
【発明の効果】
【００１４】
この発明の間仕切り壁は、壁下地ユニット、壁パネル、テーブルタップといった基本的に３部材で構成された部材品種の少ない簡単な構造であって、壁下地ユニットの挿通用孔等を利用してテーブルタップを挿通させながら、壁下地ユニットに対して壁パネルを引っ掛けるだけで設置可能となっているので、専門業者による大掛かりな大工工事や電気工事を必要とすることなく、ＤＩＹで設置や撤去、配置換えを簡単に行うことができる。
【００１５】
しかも、壁下地ユニットを互いに間隔をあけるようにして横並びに配置して、壁下地ユニット間に壁パネルをそれぞれ差し渡すようにしているので、壁下地ユニット間の間隔を適宜調整するだけで、幅寸法の異なる壁下地ユニットを複数用意することなく、室内の大きさに応じた間仕切り壁を簡単に構築することができる。
【００１６】
加えて、テーブルタップのコンセントは、任意の収容空間に自由に配置可能であり、このコンセントに対して壁外部に設けた電気機器の電気コードのプラグを接続可能としているので、利便性の高い配線機能を実現することができ、しかもコンセントやプラグを壁内部に隠蔽することですっきりとした壁面となり、意匠性の向上を図ることができる。
【００１７】
また、壁パネル間の縦目地部を、壁下地ユニットの幅方向中間に配置して、縦目地部の裏側に壁下地ユニットの収容空間が位置する状態とすることで、この縦目地部から挿入した電気機器の電気コードを壁内部において引き回すことなく、そのプラグを収容空間に配置したコンセントに直ちに接続することができ、利便性をさらに向上することができる。
【００１８】
さらに他の発明によれば、壁パネルの上下端に沿って凹凸部を設けて、互いに縦方向に隣接する壁パネルの凹凸部を係合させることで、壁パネルをバタつかせることなく安定して取り付けることができる。しかも、任意の壁パネルを単独で着脱可能とすることで、電気機器の電気コードのプラグのコンセントへの接続作業、さらには壁パネルやテーブルタップの交換、配置換え等のメンテナンスを簡単に行うことができる。
【００１９】
また別の発明によれば、壁パネルに見切り材や幅木材を設けたり、壁下地ユニットに突っ張り部材を設けることで、ＤＩＹ対応の間仕切り壁でありながら、室内に見栄え良く安定して設置することができる。
【発明を実施するための最良の形態】
【００２０】
以下、この発明の実施形態を図面に基づいて詳細に説明する。この発明の一実施形態に係る間仕切り壁１は、図１及び図２に示すように、室内の床２と天井３との間に跨る複数の壁下地ユニット４・・を、互いに間隔をあけるようにして横並びに配置するとともに、壁下地ユニット４、４間に着脱可能に差し渡した複数の壁パネル５・・を、互いに隣接させるようにして横並び及び縦並びに配置することによって構成されている。なお、図１及び図２において、６は、間仕切り壁１、１間に配された開閉扉である。
【００２１】
各壁下地ユニット４は、図３に示すように、方形枠状のユニット本体１０に、その内部に複数の収容空間１１・・を区画形成するための複数の棚板１２・・を上下方向に間隔をあけて取り付けることによって構成されている。
【００２２】
ユニット本体１０は、左右一対の側板１３、１３と、これら側板１３、１３の上端同士を連結する前後一対の横材１４、１４と、側板１３、１３の下端同士を連結する底板１５とを備え、その上端には、縦方向に出没可能とした突っ張り部材１６が設けられている。
【００２３】
各側板１３は、内外二枚の板材１３ａ、１３ｂを貼り合わせてなり、その上端において、内側の板材１３ａに上方に開放する凹溝１９が形成され、下端において、内外二枚の板材１３ａ、１３ｂを貫通するようにして、後述するテーブルタップ４０を挿通させる挿通用孔１７が形成されている。各横材１４には、図４に示すように、ユニット本体１０から前後方向に張り出すようにして、上方に開放する溝部を有する横レール１８が長手方向に沿って設けられている。底板１５は、上下二枚の板材１５ａ、１５ｂを貼り合わせてなる。
【００２４】
突っ張り部材１６は、図４に示すように、側板１３、１３の凹溝１９、１９に上下方向にスライド自在に夫々嵌合した左右一対の垂直板２０、２０と、横材１４、１４間の隙間に配されて、垂直板２０、２０の上端間を連結する水平板２１とから略門型に形成されている。
【００２５】
各棚板１２は、図５に示すように、側板１３、１３の内面間に跨って取り付けられ、その長手方向に沿った両端には、ユニット本体１０から前後方向に張り出すようにして、上記横材１４の横レール１８と同様の横レール１８、１８が設けられている。また、各棚板１２の短手方向に沿った一端には、後述するテーブルタップ４０を挿通させる挿通用孔２２が形成されている。なお、この実施形態において、各壁下地ユニット４の棚板１２・・は、合計５枚設けられているが、５枚より多くても少なくても良い。また、各棚板１２の短手方向に沿った両端に、挿通用孔２２、２２を夫々形成するようにしても良い。
【００２６】
このようにして構成された壁下地ユニット４は、図示しないメカニカルファスナーによって床２に固定した状態で、突っ張り部材１６の水平板２１の上面を、室内の天井３に押し付けながら、水平板２１を天井３にビス止めするとともに、垂直板２０、２０を側板１３、１３の外側の板材１３ｂ、１３ｂにビス止めすることによって、室内の床２と天井３との間に跨って突っ張り固定されるようになっている。
【００２７】
各壁パネル５は、図６に示すように、その上端に沿って凸部３０が設けられるとともに、その下端に沿って凹部３１が設けられ、さらに一方の側端に沿って例えば発泡樹脂等からなる軟質目地材３２が取り付けられている。また、各壁パネル５の上端裏側には、フック３３が長手方向に沿って取り付けられている。
【００２８】
そして、各壁パネル５は、そのフック３３を互いに間隔をあけて横並びに配置した壁下地ユニット４、４の横レール１８、１８に引っ掛けることで、壁下地ユニット３、３間に着脱可能に差し渡されており、壁パネル５・・全体としては、互いに隣接した状態で横並び及び縦並びに配置されている。なお、この実施形態において、壁パネル５・・は、縦方向に合計６枚設けられているが、その枚数は任意に設定すれば良い。
【００２９】
互いに横方向に隣接する壁パネル５、５においては、図３及び図７に示すように、一方の壁パネル５の軟質目地材３２が他方の壁パネル５の他方の側端に当接された状態なっており、その軟質目地材３２を設けた縦目地部３５が、壁下地ユニット４の幅方向中間に配置されている。すなわち、縦目地部３５の裏側には、壁下地ユニット４の収容空間１１が位置した状態となっている。なお、室内の壁際に位置する壁パネル５においては、その軟質目地材３２を室内の内壁３４に当接させている。
【００３０】
互いに縦方向に隣接する壁パネル５、５においては、図３及び図８に示すように、上側の壁パネル５の凹部３１に下側の壁パネル５の凸部３０が縦方向の位置ずれを許容した状態で係合されている。なお、壁パネル５、５の軟質目地材３２、３２は、上側の軟質目地材３２の下端裏側に形成した略Ｌ型の切り欠き３２ｂと、下側の軟質目地材３２の上端表側に形成した略Ｌ型の切り欠き３２ａとを重ね合わせるようにして、縦方向に沿って一直線状に配されている。
【００３１】
そして、最上部に位置する壁パネル５の上端には、その凸部３０とフック３３とによって挟み込んだ軟質の見切り材３６が立設され、この見切り材３６を室内の天井３に当接させることで、天井３との間に生じる隙間を塞いでいる。また、最下部に位置する壁パネル５の下端には、その凹部３１に嵌め込んだ軟質の幅木材３７が垂下され、この幅木材３７を室内の床２に当接させることで、床２との間に生じる隙間を塞いでいる。
【００３２】
このように横並び及び縦並びに配置された壁パネル５・・は、それらのうち任意の壁パネル５を単独で着脱することができるようになっている。すなわち、壁パネル５の取り付けに際しては、図９に示すように、その凸部３０を上側の壁パネル５の凹部３１に差し込みながら、フック３３を壁下地ユニット４、４の横レール１８、１８に引っ掛けるようにして、凹部３１を下側の壁パネル５の凸部３０に被せるようにすれば良い。なお、最上部に位置する壁パネル５の場合には、見切り材３６を室内の天井３に押し付けながら、フック３３を壁下地ユニット４、４の横レール１８、１８に引っ掛けるようにして、凹部３１を下側の壁パネル５の凸部３０に被せるようにすれば良く、最下部に位置する壁パネル５の場合には、その凸部３０を上側の壁パネル５の凹部３１に差し込みながら、フック３３を壁下地ユニット４、４の横レール１８、１８に引っ掛けるようにして、幅木材３７を室内の床２に押し付けるようにすれば良い。また、壁パネル５の取り外しに際しては、図１０に示すように、壁パネル５を僅かに持ち上げることで、その凹部３１と下側の壁パネル５の凸部３０との係合を解除するとともに、そのフック３３を壁下地ユニット４、４の横レール１８、１８から外して、この状態で壁パネル５を斜め下方へ引くことで、凸部３０を上側の壁パネル５の凹部３１から引き抜けば良い。なお、最上部に位置する壁パネル５の場合には、見切り材３６を変形させながら壁パネル５を僅かに持ち上げることで、その凹部３１と下側の壁パネル５の凸部３０との係合を解除するとともに、そのフック３３を壁下地ユニット４、４の横レール１８、１８から外して、この状態で壁パネル５を斜め下方へ引けば良い。最下部に位置する壁パネル５の場合には、壁パネル５を僅かに持ち上げることで、そのフック３３を壁下地ユニット４、４の横レール１８、１８から外して、この状態で壁パネル５を斜め下方へ引くことで、凸部３０を上側の壁パネル５の凹部３１から引き抜けば良い。このように、各壁パネル５の着脱は、工具等を使用することなくワンタッチで行うことができる。
【００３３】
また、この間仕切り壁１においては、テーブルタップ４０を使用して配線機能を持たせるようにしている。テーブルタップ４０は、図３に示すように、コンセント４１と、室内の内壁３４に備え付けのコンセントに接続される図示しないプラグと、これらコンセント４１とプラグとを繋ぐ電気コード４２を備えた公知の構造のもので、壁内部において壁下地ユニット４・・の挿通用孔１７、２２・・に適宜挿通させることで、そのコンセント４１を任意の壁下地ユニット４における任意の収容空間１１に配置可能となっている。
【００３４】
そして、図７に示すように、壁外部に設けた電気機器５０の電気コード５１が、互いに横方向に隣接する壁パネル５、５間の縦目地部３５に設けた軟質目地材３２を変形させることで、壁外部から縦目地部３５を介して任意の壁下地ユニット４における任意の収容空間１１に挿入可能とされており、その電気コード５１のプラグ５２を任意の収容空間１１に配置したテーブルタップ４０のコンセント４１に接続することができるようになっている。
【００３５】
上記構成の配線機能を備えた間仕切り壁１においては、壁下地ユニット４・・、壁パネル５・・、テーブルタップ４０といった基本的に３部材で構成された部材品種の少ない簡単な構造となっていて、上記のように室内の床２と天井３との間に突っ張り固定しながら壁下地ユニット４・・を設置し、壁下地ユニット４・・の挿通用孔１７、２２・・に挿通させながらテーブルタップ４０を配置し、壁下地ユニット４・・に対して壁パネル５・・を引っ掛けるだけで設置可能となっているので、専門業者による大掛かりな大工工事や電気工事を必要とすることなく、ＤＩＹで設置や撤去、配置換えを簡単に行うことができる。
【００３６】
しかも、壁下地ユニット４・・を互いに間隔をあけるようにして横並びに配置して、壁下地ユニット４、４間に壁パネル５・・をそれぞれ差し渡すようにしているので、壁下地ユニット４・・間の間隔を適宜調整するだけで、幅寸法の異なる壁下地ユニット４・・を複数用意することなく、室内の大きさに応じた間仕切り壁１を簡単に構築することができる。なお、壁パネル５・・については、室内の大きさに応じてプレカット又は現場カットしている。
【００３７】
また、テーブルタップ４０のコンセント４１は、任意の壁下地ユニット４の任意の収容空間１１に自由に配置可能であり、壁外部に設けた電気機器５０の電気コード５１を壁パネル５、５間の縦目地部３５から挿入して、そのプラグ５２をテーブルタップ４０のコンセント４１に接続可能となっているので、利便性の高い配線機能を実現することができ、しかもコンセント４１やプラグ５２を壁内部に隠蔽することですっきりとした壁面となり、意匠性の向上を図ることができる。
【００３８】
さらに、壁パネル５、５間の縦目地部３５を、壁下地ユニット４の幅方向中間に配置していて、縦目地部３５の裏側に壁下地ユニット４の収容空間１１が位置する状態となっているので、この縦目地部３５から挿入した電気機器５０の電気コード５１を壁内部において引き回すことなく、そのプラグ５２を収容空間１１に配置したコンセント４１に直ちに接続することができ、利便性をさらに向上することができる。
【００３９】
さらにまた、任意の壁パネル５を単独で着脱することができるので、電気機器５０の電気コード５１のプラグ５２のコンセント４１への接続作業、さらには壁パネル５やテーブルタップ４０の交換、配置換え等のメンテナンスを簡単に行うことができる。しかも、壁下地ユニット４・・の収容空間１１・・は、コンセント４１を配置するだけでなく、小物類の収納用としても利用することができるが、上記のように任意の壁パネル５を単独で着脱することができれば、小物類の収納や取り出しも簡単に行うことができる。
【００４０】
この発明は、上記実施形態に限定されるものではなく、この発明の範囲内で上記実施形態に多くの修正及び変更を加え得ることは勿論である。例えば、壁パネルのいくつかに照明器具やスイッチ、ディスプレイ等の各種電気機器を取り付けても良い。また、壁パネルを色柄配置したり、さらには壁パネルを部分的に取り外すことで、意匠的にバリエーションを持たせるようにしても良い。
【図面の簡単な説明】
【００４１】
【図１】この発明の一実施形態に係る間仕切り壁を示す正面図である。
【図２】同じくその壁下地ユニットの設置状態を示す正面図である。
【図３】壁下地ユニットに対する壁パネルの取付状態を示す斜視図である。
【図４】壁下地ユニットの上端を示す斜視図である。
【図５】棚板を示す斜視図である。
【図６】壁パネルの裏面側を示す斜視図である。
【図７】間仕切り壁の要部横断面図である。
【図８】間仕切り壁の要部縦断面図である。
【図９】壁パネルの取り付け手順を示す縦断面図である。
【図１０】壁パネルの取り外し手順を示す縦断面図である。
【符号の説明】
【００４２】
１・・間仕切り壁、２・・床、３・・天井、４・・壁下地ユニット、５・・壁パネル、１０・・ユニット本体、１１・・収容空間、１２・・棚板、１３・・側板、１６・・突っ張り部材、１７、２２・・挿通用孔、３０・・凸部、３１・・凹部、３２・・軟質目地材、３５・・縦目地部、３６・・見切り材、３７・・幅木材、４０・・テーブルタップ、４１・・コンセント、５０・・電気機器、５１・・電気コード、５２・・プラグ
【図１】
0005272490.tif 000002
【図２】
0005272490.tif 000003
【図３】
0005272490.tif 000004
【図４】
0005272490.tif 000005
【図５】
0005272490.tif 000006
【図６】
0005272490.tif 000007
【図７】
0005272490.tif 000008
【図８】
0005272490.tif 000009
【図９】
0005272490.tif 000010
【図１０】
0005272490.tif 000011